(57)【特許請求の範囲】
【請求項１】
ホルダの頭部に刃体を取着してその頭部から刃体を延設した彫刻刀において、
このホルダの頭部には刃体の先端側に設けた刃先部を挟むようにその刃先部の両側に壁部を配置したガードを備え、この両壁部間を結ぶ方向とこの刃体の延設方向とに対し直交する方向の両側のうち少なくとも一方の側で刃先部が露出する開放部をこのガードに設け、
このガードは、ホルダに対し分離された離脱状態と、ガードがホルダに対し挿嵌される途中状態と、ホルダに対するガードの離脱を阻止する係止部により支持された取着状態とを取り、ガードをホルダに対し挿脱させる挿脱方向に沿ってこの離脱状態と途中状態との間で移動し得るとともに、この挿脱方向に対し交差してガードをホルダに対し係止させる係脱方向である挿脱方向周りの周方向に沿ってこの途中状態と取着状態との間で移動し得るガード移動軌跡を取り、
ガード及びホルダに対し分離された開放状態と、ガードまたはホルダに対し支持されてガードの開放部を塞ぐ被冠状態とを取るキャップを備え、
このキャップは、この開放状態と被冠状態との間でホルダに対するガードの挿脱方向に沿って移動し得る基本着脱動作軌跡を取るとともに、この被冠状態でガードをキャップとともにガードの取着状態と離脱状態とのうち少なくとも一方の状態から他方の状態へ係合部により一体的に移動させるように、ホルダに対するガードの挿脱方向と、この挿脱方向に対し交差してガードをホルダに対し係止させる係脱方向である挿脱方向周りの周方向とへ移動し得るガード着脱動作軌跡を取る
ことを特徴とする彫刻刀。
【請求項２】
キャップを前記被冠状態にした際にガード及びホルダの頭部に対するキャップの相対位置を一定にするように、前記キャップの基本着脱動作軌跡を限定する規制部を設けたことを特徴とする請求項１に記載の彫刻刀。
【発明の詳細な説明】
【技術分野】
【０００１】
本発明は、使用者の指や刃体の刃先部を保護するガードを有する彫刻刀に関するものである。
【背景技術】
【０００２】
従来、下記特許文献１にかかる彫刻刀においては、ホルダに取着された刃体の周囲を囲うループ状のガードがホルダに対し刃体の延設方向に沿って着脱可能に設けられ、このガードの表裏両側に設けられた開放部で刃体の刃先部が露出している。
【特許文献１】特許第３５４０７１９号公報
【発明の開示】
【発明が解決しようとする課題】
【０００３】
上記特許文献１では、彫刻刀を把持して保管したり持ち運んだり使用したりする際に使用者の指がガードに触れると、ガードの両開放部で使用者の指が刃先部にも不用意に触れるおそれがあり、使い勝手が悪くなる。また、ガードに対し一方向（刃体の延設方向）の力が加わるだけで、ガードがホルダから不用意に抜け落ちるおそれがあり、使い勝手が悪くなる。
【０００４】
この発明は、ガードの開放部で使用者の指が刃先部に不用意に触れることを防止したり、ホルダからガードが不用意に抜け落ちることを防止したりして、彫刻刀の使用時に安全性を高めて使い勝手を良くすることを目的としている。
【課題を解決するための手段】
【０００５】
後記実施形態の図面（図１〜８に示す第１実施形態、図９〜１１に示す第２実施形態、図１２〜１７に示す第３実施形態）の符号を援用して本発明を説明する。
請求項１の発明にかかる彫刻刀は、下記のように構成されている。
【０００６】
この彫刻刀２においては、ホルダ４の頭部５に刃体６を取着してその頭部５から刃体６を延設している。このホルダ４の頭部５には刃体６の先端側に設けた刃先部６ａを挟むようにその刃先部６ａの両側に壁部２８を配置したガード７を備えている。この両壁部２８間を結ぶ方向Ｙとこの刃体６の延設方向Ｘとに対し直交する方向Ｚの両側のうち少なくとも一方の側で刃先部６ａが露出する開放部２９をこのガード７に設けている。
このガード７は、ホルダ４に対し分離された離脱状態Ｐ７と、ガード７がホルダ４に対し挿嵌される途中状態Ｑ７と、ホルダ４に対するガード７の離脱を阻止する係止部２１，３５，３４ａ，３４ｂにより支持された取着状態Ｒ７とを取り、ガード７をホルダ４に対し挿脱させる挿脱方向Ｘに沿ってこの離脱状態Ｐ７と途中状態Ｑ７との間で移動し得るとともに、この挿脱方向Ｘに対し交差してガード７をホルダ４に対し係止させる係脱方向である挿脱方向周りの周方向Ｓに沿ってこの途中状態Ｑ７と取着状態Ｒ７との間で移動し得るガード移動軌跡を取る。ガード７及びホルダ４に対し分離された開放状態Ｌ８と、ガード７またはホルダ４に対し支持されてガード７の開放部２９を塞ぐ被冠状態Ｍ８とを取るキャップ８を備えている。
このキャップ８は、この開放状態Ｌ８と被冠状態Ｍ８との間でホルダ４に対するガード７の挿脱方向Ｘに沿って移動し得る基本着脱動作軌跡を取るとともに、この被冠状態Ｍ８でガード７をキャップ８とともにガード７の取着状態Ｒ７と離脱状態Ｐ７とのうち少なくとも一方の状態から他方の状態へ係合部３２，３８、３１，３９、３４ｃ，４８により一体的に移動させるように、ホルダ４に対するガード７の挿脱方向Ｘと、この挿脱方向Ｘに対し交差してガード７をホルダ４に対し係止させる係脱方向である挿脱方向周りの周方向Ｓとへ移動し得るガード着脱動作軌跡を取る。
【０００７】
請求項１の発明は、下記の効果を有する。
（イ）  ガード７とキャップ８との二重構造により、刃体６の刃先部６ａが露出するガード７の開放部２９をキャップ８により塞ぐことができるので、彫刻刀２を把持して保管したり持ち運んだりする際にガード７の開放部２９で使用者の指が刃先部６ａに不用意に触れることを防止でき、安全性が高くなって使い勝手が良くなる。
【０００８】
（ロ）  前記キャップ８は、前記開放状態Ｌ８でガード７及びホルダ４に対し分離され、前記被冠状態Ｍ８でガード７またはホルダ４に対し支持されるように、基本着脱動作軌跡を取り得るので、キャップ８が開放状態Ｌ８でガード７及びホルダ４に対し分離されるので、使用時にキャップ８が邪魔にならず、使い勝手が良くなる。
【０００９】
（ハ）  前記ガード７は前記ホルダ４に対し分離された離脱状態Ｐ７と支持された取着状態Ｒ７とを取り、前記キャップ８を前記ガード７に被せた被冠状態Ｍ８でこのガード７をキャップ８とともに前記取着状態Ｒ７と離脱状態Ｐ７とのうち少なくとも一方の状態から他方の状態へ一体的に移動させるように、このキャップ８はガード着脱動作軌跡を取り得るので、ガード７の有無を使い分けることができるとともに、キャップ８の着脱時にガード７も着脱することができ、使い勝手が良くなる。
【００１０】
（ニ）  前記キャップ８の基本着脱動作軌跡とガード着脱動作軌跡とが互いに異なるので、キャップ８の着脱動作の違いによりガード７の着脱の有無を区別することができ、使い勝手が良くなる。
【００１１】
（ホ）  前記キャップ８のガード着脱動作軌跡でガード７をキャップ８とともに一体的に移動させる係合部３２，３８、３１，３９、３４ｃ，４８を設けたので、キャップ８の着脱に伴うガード７の着脱を円滑に行うことができる。
【００１２】
（へ）  前記キャップ８のガード着脱動作軌跡は、ガード７をホルダ４に対し挿脱させる挿脱方向Ｘと、この挿脱方向Ｘに対し交差してガード７をホルダ４に対し係止させる係脱方向Ｓとを有し、挿脱方向Ｘと係脱方向Ｓとを互いに交差させているので、キャップ８に対し挿脱方向Ｘの力が加わっても、ホルダ４に対するガード７の係止が解除されにくくなって使い勝手が良くなる。
【００１６】
（ト）  ガード移動軌跡において係脱方向は挿脱方向Ｘの周りの周方向Ｓであるので、ホルダ４に対するガード７の着脱を容易に行うことができる。
【００１７】
（チ）  前記取着状態Ｒ７で前記ホルダ４に対する前記ガード７の離脱を阻止する係止部２１，３５，３４ａ，３４ｂを設けたので、係止部２１，３５，３４ａ，３４ｂによりガード７をホルダ４の頭部５に保持することができる。
請求項１の発明を前提とする請求項２の発明（第３実施形態のみに対応）において、キャップ８を前記被冠状態Ｍ８にした際にガード７及びホルダ４の頭部５に対するキャップ８の相対位置を一定にするように、前記キャップ８の基本着脱動作軌跡を限定する規制部３２，３８、４６，４７を設けている。請求項２の発明では、キャップ８をガード７及びホルダ４の頭部５に対し円滑に被せることができる。
【００１８】
次に、請求項以外の技術的思想について実施形態の図面の符号を援用して説明する。
【００１９】
請求項１または請求項２の発明を前提とする第３の発明において、前記ガード７は基端筒部２６から延設された一対の腕部２８を有し、前記壁部はこの腕部２８に形成され、前記ホルダ４の頭部５に形成されて前記刃体６が取着された支持部１３の外周に対しこのガード７はその基端筒部２６の内周で着脱可能に挿嵌されて前記離脱状態Ｐ７と取着状態Ｒ７とを取り得る。第３の発明では、支持部１３に対する基端筒部２６の挿嵌構造を簡単にすることができる。
【００２０】
第３の発明を前提とする第４の発明において、前記取着状態Ｒ７で前記ホルダ４の頭部５の支持部１３に対する前記ガード７の基端筒部２６の離脱を阻止する係止部２１，３５，３４ａ，３４ｂを設けた。第４の発明では、係止部２１，３５，３４ａ，３４ｂによりガード７をホルダ４の頭部５に保持することができる。
【００２１】
第４の発明の発明を前提とする第５の発明において、前記係止部は複数組設けられ、ホルダ４の頭部５の支持部１３に設けた各係止部２１のうち特定の一つの係止部２１と、ガード７の基端筒部２６に設けた各係止部３５，３４ａ，３４ｂのうち特定の一つの係止部３５，３４ａ，３４ｂとのみが一組の係止部として互いに係止される。第５の発明では、ホルダ４の頭部５に対しガード７を常に一定の取着状態Ｒ７にすることができる。
【００２２】
第４の発明または第５の発明を前提とする第６の発明において、前記係止部は、支持部１３の外周に形成した係止凸部２１と、基端筒部２６の内周に形成した係止凸部３５と、これらの係止凸部２１，３５を互いに係止させる取着状態Ｒ７と互いに係止解除させる離脱状態Ｐ７との間でこれらの係止凸部２１，３５を支持部１３の外周及び基端筒部２６の内周に沿って案内する案内部３４ａ，３４ｂとを有している。第６の発明では、ホルダ４の頭部５に対するガード７の着脱を円滑に行うことができる。
【００２３】
第６の発明を前提とする第７の発明において、前記案内部は、支持部１３に対し基端筒部２６を挿脱させるように挿脱方向Ｘへ延びる案内路３４ａと、支持部１３の係止凸部２１に対し基端筒部２６の係止凸部３５を係脱させるように周方向Ｓへ延びる案内路３４ｂとを互いに連続させたものである。第７の発明では、ホルダ４の頭部５に対するガード７の着脱を容易に行うことができる。
【００２４】
第７の発明を前提とする第８の発明において、前記支持部１３に対する前記基端筒部２６の位置を示す目印１８，１９ａ，１９ｂ，３６を設けた。第８の発明では、ホルダ４の頭部５に対するガード７の着脱を容易に行うことができる。
【００２５】
第８の発明を前提とする第９の発明において、前記目印は、前記基端筒部２６に形成した突起３６と、前記支持部１３に周方向Ｓの案内路３４ｂに沿って形成した凹部１８とを有し、この支持部１３に対する基端筒部２６の挿嵌時にこの凹部１８に挿入された突起３６がこの凹部１８における周方向Ｓの両端部間で基端筒部２６とともに移動する。第９の発明では、目印を簡単な構造にすることができる。
【００２６】
請求項１または請求項２の発明を前提とする第１０の発明（第３実施形態のみに対応）において、前記ガード７に係合凹部３４ｃを設けるとともに、前記キャップ８に弾性係合凸部４８ａを設け、前記挿脱方向Ｘのガード着脱動作軌跡で、この弾性係合凸部４８ａがこの係合凹部３４ｃに対し係合されて、ガード７をキャップ８とともに一体的に移動させる係合部として機能する。第１０の発明では、キャップ８のガード着脱動作軌跡で、キャップ８をガード７とともに円滑に移動させることができる。
【００２７】
請求項１または請求項２の発明または第１０の発明を前提とする第１１の発明（第３実施形態のみに対応）において、前記ホルダ４の頭部５にストッパ４６を設けるとともに、前記キャップ８にストッパ４７を設け、前記係脱方向Ｓのガード着脱動作軌跡で、これらのストッパ４６，４７が互いに当接して、ホルダ４の頭部５に対するキャップ８の移動範囲を規制する。第１１の発明では、キャップ８のガード着脱動作軌跡で、キャップ８をガード７とともに円滑に移動させることができる。
【発明の効果】
【００２８】
本発明は、彫刻刀２を把持して保管したり持ち運んだり使用したりする際にガード７の開放部２９で使用者の指が刃先部６ａに不用意に触れることを防止したり、ホルダ４からガード７が不用意に抜け落ちることを防止したりして、彫刻刀２の使用時に安全性を高めて彫刻刀２の使い勝手を良くすることができる。
【発明を実施するための最良の形態】
【００２９】
まず、本発明の第１実施形態にかかる彫刻刀について図１〜８を参照して説明する。
図１に示すケース１内には５本の彫刻刀２，３が収容されている。このケース１は図示しない布袋に収容される。図１及び図２（ａ）（ｂ）（ｃ）（ｄ）に示す彫刻刀２においては、正面側から見て棒状のホルダ４が屈曲して形成され、そのホルダ４の頭部５の端部に刃体６（大丸刃、小丸刃、三角刃、平刃）が取着されてその頭部５の端部から刃体６が前方へ延設されているとともに、その頭部５の端部にガード７とキャップ８とを備えている。この棒状ホルダ４は平面側及び底面側から見て直線状に形成されている。図２（ｅ）に示す彫刻刀３においては、棒状のホルダ９が平面側及び底面側ばかりでなく正面側から見ても直線状に形成され、そのホルダ９の頭部１０の端部に刃体１１（切出し刃）が取着されてその頭部１０の端部から刃体１１が前方へ延設されているが、上記ガード７とキャップ８とのうちガード７を備えていない。なお、刃体１１（切出し刃）についてはその使用時の把持状態からして直線状のホルダ９に取着することが好ましい。
【００３０】
図３（ａ）（ｂ）（ｃ）に示すように、前記彫刻刀２において、ホルダ４の頭部５の端部にはキャップ支持部１２とガード支持部１３とが前後方向Ｘへ並設され、このガード支持部１３がこのキャップ支持部１２の前側で段差部１４を介して形成されている。このキャップ支持部１２において円形状の外周面１５には、この段差部１４に隣接する前側外周面１５ａと、この前側外周面１５ａに対し段差部１６を介して隣接する後側外周面１５ｂとが形成されている。上下方向Ｚの両側にある二箇所の前側外周面１５ａのうち上側の前側外周面１５ａには周方向Ｓへ延びる目印凹部１８が段差部１４に開放されるように形成されているとともに、この前側外周面１５ａには周方向Ｓへ延びる係止溝１７がこの目印凹部１８に連通するように形成されている。この後側外周面１５ｂには目印としてのガード離脱位置マーク１９ａとガード取着位置マーク１９ｂとがこの目印凹部１８に隣接して周方向Ｓへ並ぶように形成されている。また、このガード支持部１３において、円形状の外周面２０には上下方向Ｚの両側で係止凸部２１が周方向Ｓへ１８０度間隔で形成されている。
【００３１】
図３（ｄ）（ｅ）（ｆ）に示すように、前記彫刻刀３において、ホルダ９の頭部１０の端部にはキャップ支持部２２のみが形成されている。このキャップ支持部２２において円形状の外周面２３には、前側外周面２３ａと、この前側外周面２３ａに対し段差部２４を介して隣接する後側外周面２３ｂとが形成されている。この前側外周面２３ａには周方向Ｓへ延びる係止溝２５が形成されている。
【００３２】
図４に示すように、前記ガード７においては、基端筒部２６から前方へ環状部２７が延設されている。この環状部２７においては、左右方向Ｙの両側で壁部としての一対の腕部２８が延設され、上下方向Ｚの両側で開放部２９が形成されている。この基端筒部２６において、円形状の外周面３０には四個の小突起３１が周方向Ｓへ９０度間隔で形成され、この各小突起３１間における四箇所の外周面３０のうち左右方向Ｙの両側にある二箇所の外周面３０には前後方向Ｘへ延びる突条３２が周方向Ｓへ１８０度間隔で形成されている。この左右両突条３２は左右方向Ｙの突出寸法が基端筒部２６の口端縁２６ａ側ほど大きくなるように傾斜している。この基端筒部２６において、円形状の内周面３３には上下方向Ｚの両側で口端縁２６ａから前後方向Ｘへ延びる案内路としての案内口部３４ａが形成されているとともに、その案内口部３４ａから周方向Ｓへ延びる案内路３４ｂが形成され、この案内路３４ｂと口端縁２６ａとの間で係止凸部としての係止壁部３５が周方向Ｓへ１８０度間隔で形成されている。この基端筒部２６には透孔３４ｃが外周面３０と内周面３３の案内路３４ｂとの間で貫設されている。この基端筒部２６の口端縁２６ａの上側には目印突起３６が形成されている。このガード７はプラスチック等により透明または半透明に成形されている。なお、前記環状部２７で両腕部２８の先端部は互いに分離されていてもよい。
【００３３】
図５に示すように、前記キャップ８は有底筒状をなし、そのキャップ８において円形状の内周面３７には口端縁８ａから前後方向Ｘへ延びる四個の溝３８が周方向Ｓへ９０度間隔で形成され、この各溝３８間で内周面３７には小突起３９が口端縁８ａに隣接して形成されている。この各溝３８の口部３８ａは口端縁８ａで外側へ広がっている。このキャップ８の外周には各溝３８に合わせて指掛け突条４０が形成されている。このキャップ８はプラスチック等により透明に成形されている。
【００３４】
図６（ａ）に示す前記彫刻刀２においては、図４に示すガード７が図３に示すホルダ４から分離された離脱状態Ｐ７にある。図６（ｂ）に示すように、ガード７の基端筒部２６内にその口端縁２６ａからホルダ４のガード支持部１３を挿入して基端筒部２６の内周面３３にガード支持部１３の外周面２０を挿嵌するとともに、ガード７の目印突起３６を目印凹部１８に対しガード離脱位置マーク１９ａに向けて前後方向Ｘ（挿脱方向）へ挿入してこの基端筒部２６の口端縁２６ａを段差部１４に当接させると、図６（ｃ）に示すようにガード支持部１３の係止部としての係止凸部２１が基端筒部２６の案内部としての案内口部３４ａに係入され、ガード７がホルダ４に対し挿嵌される途中状態Ｑ７となる。次に、図６（ｄ）に示すように、ガード７の目印突起３６が目印凹部１８でガード離脱位置マーク１９ａからガード取着位置マーク１９ｂに向くようにガード７をガード支持部１３に対し挿脱方向Ｘの周りの周方向Ｓ（挿脱方向Ｘに対し交差する係脱方向）へ回動させると、図６（ｅ）に示すようにガード支持部１３の係止凸部２１が基端筒部２６の案内部としての案内路３４ｂに係入されて基端筒部２６の係止部としての係止壁部３５に対し係止され、図６（ｄ）（ｆ）に示すようにガード７がホルダ４に取着された取着状態Ｒ７となって前後方向Ｘへのガード７の移動が規制される。その場合、この係止凸部２１を透孔３４ｃから視認することができる。前記ガード７の途中状態Ｑ７で、上下両係止凸部２１のうち上側の係止凸部２１が上下両案内口部３４ａのうち上側の案内口部３４ａに係入されるとともに、上下両係止凸部２１のうち下側の係止凸部２１が上下両案内口部３４ａのうち下側の案内口部３４ａに係入され、上側の係止凸部２１が下側の案内口部３４ａに係入されたり下側の係止凸部２１が上側の案内口部３４ａに係入されたりすることはなくなり、ホルダ４の頭部５に対しガード７を常に一定の取着状態Ｒ７にすることができる。この取着状態Ｒ７では、刃体６の先端側に設けられた刃先部６ａをガード７の左右両腕部２８が挟むように配置され、この刃先部６ａが上下両開放部２９に露出するとともに下側開放部２９から前方へ若干突出している。逆に、この取着状態Ｒ７からガード７をガード支持部１３に対しガード取着位置マーク１９ｂからガード離脱位置マーク１９ａに向くように周方向Ｓへ回動させた後に前後方向Ｘへ抜くと、ガード７が前記途中状態Ｑ７を経て離脱状態Ｐ７となる。このようにしてガード７は離脱状態Ｐ７と取着状態Ｒ７との間で途中状態Ｑ７を経てガード移動軌跡を取る。
【００３５】
図７（ａ）に示す前記彫刻刀２においては、ガード７がホルダ４に取着された取着状態Ｒ７で図５に示すキャップ８がガード７及びホルダ４から分離された開放状態Ｌ８にある。図７（ｂ）に示すように、キャップ８内にその口端縁８ａからガード７の環状部２７を挿入してキャップ８の内周面３７にガード７の基端筒部２６の外周面３０を挿嵌するとともに、キャップ８の両溝３８に口部３８ａから基端筒部２６の両突条３２を係入してキャップ８をガード７に対し前後方向Ｘへ移動させると、キャップ８の口端縁８ａが前記キャップ支持部１２の段差部１６に当接するとともに、図７（ｃ）に示すようにキャップ８の各小突起３９が前記キャップ支持部１２の係止溝１７に掛止部（係合部）として係止され、キャップ８がガード７及びホルダ４の頭部５に支持されてその両開放部２９を塞ぐ被冠状態Ｍ８となる。この被冠状態Ｍ８では、キャップ８の両溝３８に基端筒部２６の両突条３２が掛止部（係合部）として係入されているため、キャップ８とガード７とを周方向Ｓへ一体的に回動させることができる。逆に、この被冠状態Ｍ８からキャップ８を前後方向Ｘへ移動させてガード７から抜くと、キャップ８が開放状態Ｌ８となる。このようにしてキャップ８は開放状態Ｌ８と被冠状態Ｍ８との間で基本着脱動作軌跡を取る。
【００３６】
次に、図７（ｄ）に示すように、ガード７の目印突起３６が目印凹部１８でガード取着位置マーク１９ｂからガード離脱位置マーク１９ａに向くようにキャップ８をガード７とともにガード支持部１３に対し周方向Ｓへ回動させると、図６（ｃ）に示すようにガード支持部１３の係止凸部２１が基端筒部２６の案内口部３４ａに移動し、キャップ８はガード７がホルダ４に対し離脱される途中状態Ｎ８となる。その後、キャップ８をガード支持部１３に対し前後方向Ｘへ移動させると、ガード７の両突条３２（係合部）とキャップ８の両溝３８（係合部）との圧接により、ガード７もキャップ８とともにガード支持部１３に対し前後方向Ｘへ移動し、ガード支持部１３の係止凸部２１がガード７の案内口部３４ａから抜け、図７（ｅ）（ｆ）に示すようにキャップ８が開放状態Ｌ８になるとともに、キャップ８内で係止されて収容されているガード７が離脱状態Ｐ７となる。逆に、この離脱状態Ｐ７からガード７をキャップ８とともにガード支持部１３に対し前後方向Ｘへ挿入すると、キャップ８はガード７がホルダ４に対し挿入される途中状態Ｎ８となる。その後、キャップ８をガード７とともに周方向Ｓへ回動させると、ガード７が前記途中状態Ｑ７を経て取着状態Ｒ７となる。その取着状態Ｒ７では、前後方向Ｘへのガード７の移動が規制されるため、被冠状態Ｍ８にあるキャップ８のみを抜いて開放状態Ｌ８にすることができる。このようにしてキャップ８は開放状態Ｌ８と被冠状態Ｍ８との間で途中状態Ｎ８を経てガード着脱動作軌跡を取り、このガード着脱動作軌跡はガード７のガード移動軌跡に沿う。
【００３７】
図８（ａ）に示す前記彫刻刀２においては、ガード７が離脱状態Ｐ７にあるホルダ４からキャップ８が分離された開放状態Ｌ８にある。図８（ｂ）に示すように、キャップ８内にその口端縁８ａからホルダ４のキャップ支持部１２を挿入してキャップ８の内周面３７にキャップ支持部１２の前側外周面１５ａを挿嵌し、キャップ８をホルダ４に対し前後方向Ｘへ移動させると、キャップ８の口端縁８ａが前記キャップ支持部１２の段差部１６に当接するとともに、図８（ｃ）に示すようにキャップ８の各小突起３９が前記キャップ支持部１２の係止溝１７に掛止部（係合部）として係止され、キャップ８がホルダ４の頭部５に支持された被冠状態Ｍ８となる。また、図８（ｄ）に示す前記彫刻刀３においても、ホルダ９からキャップ８が分離された開放状態Ｌ８にある。図８（ｅ）に示すように、キャップ８内にその口端縁８ａからホルダ９のキャップ支持部２２を挿入してキャップ８の内周面３７にキャップ支持部２２の前側外周面２３ａを挿嵌し、キャップ８をホルダ９に対し前後方向Ｘへ移動させると、キャップ８の口端縁８ａが前記キャップ支持部２２の段差部２４に当接するとともに、図８（ｆ）に示すようにキャップ８の各小突起３９が前記キャップ支持部２２の係止溝２５に掛止部（係合部）として係止され、キャップ８がホルダ９の頭部１０に支持された被冠状態Ｍ８となる。逆に、この被冠状態Ｍ８からキャップ８をキャップ支持部１２，２２に対し前後方向Ｘへ抜くと、キャップ８が開放状態Ｌ８となる。このようにしてキャップ８は開放状態Ｌ８と被冠状態Ｍ８との間で基本着脱動作軌跡を取る。
【００３８】
次に、本発明の第２実施形態にかかる彫刻刀について第１実施形態との相違点を中心に図９〜１１を参照して説明する。
図９（ａ）（ｂ）（ｃ）に示すように、前記彫刻刀２において、ホルダ４の頭部５の端部にはキャップ支持部１２とガード支持部１３とが前後方向Ｘへ並設され、このガード支持部１３がこのキャップ支持部１２の前側で段差部１４を介して形成されている。このキャップ支持部１２において、円形状の外周面１５には四個の小突起４１が周方向Ｓへ９０度間隔で形成され、この各小突起４１間における四箇所の外周面１５のうち左右方向Ｙの両側にある二箇所の外周面１５には前後方向Ｘへ延びる小突条４２が周方向Ｓへ１８０度間隔で形成されているとともに、上下方向Ｚの両側にある二箇所の外周面１５のうち上側の外周面１５には周方向Ｓへ延びる目印凹部１８が段差部１４に開放されるように形成されている。この上側外周面１５には目印としてのガード離脱位置マーク１９ａとガード取着位置マーク１９ｂとがこの目印凹部１８に隣接して周方向Ｓへ並ぶように形成されている。また、このガード支持部１３において、円形状の外周面２０には上下方向Ｚの両側で係止凸部２１が周方向Ｓへ１８０度間隔で形成されている。
【００３９】
図９（ｄ）（ｅ）（ｆ）に示すように、前記彫刻刀３において、ホルダ９の頭部１０の端部にはキャップ支持部２２のみが形成されている。このキャップ支持部２２において、円形状の外周面２３には四個の小突起４３が周方向Ｓへ９０度間隔で形成され、この各小突起４３間における四箇所の外周面２３のうち左右方向Ｙの両側にある二箇所の外周面２３には前後方向Ｘへ延びる小突条４４が周方向Ｓへ１８０度間隔で形成されている。
【００４０】
図１０（ａ）に示す前記彫刻刀２においては、ガード７がホルダ４に取着された取着状態Ｒ７で図５に示すキャップ８がガード７及びホルダ４から分離された開放状態Ｌ８にある。図１０（ｂ）に示すように、キャップ８内にその口端縁８ａからガード７の環状部２７を挿入してキャップ８の内周面３７にガード７の基端筒部２６の外周面３０を挿嵌するとともに、キャップ８の両溝３８に口部３８ａから基端筒部２６の両突条３２を係入してキャップ８をガード７に対し前後方向Ｘへ移動させると、図１０（ｃ）に示すようにキャップ８の各小突起３９が基端筒部２６の各小突起３１に掛止部（係合部）として係止され、キャップ８がガード７に支持されてその両開放部２９を塞ぐ被冠状態Ｍ８となる。この被冠状態Ｍ８では、キャップ８の両溝３８に基端筒部２６の両突条３２が掛止部（係合部）として係入されているため、キャップ８とガード７とを周方向Ｓへ一体的に回動させることができる。逆に、この被冠状態Ｍ８からキャップ８を前後方向Ｘへ移動させてガード７から抜くと、キャップ８が開放状態Ｌ８となる。このようにしてキャップ８は開放状態Ｌ８と被冠状態Ｍ８との間で基本着脱動作軌跡を取る。その際、キャップ８の両溝３８と基端筒部２６の両突条３２とについては前後方向Ｘの長さがほぼ同一に設定されているため、ホルダ４の頭部５のキャップ支持部１２にはキャップ８が被冠されない。
【００４１】
次に、図１０（ｄ）に示すように、ガード７の目印突起３６が目印凹部１８でガード取着位置マーク１９ｂからガード離脱位置マーク１９ａに向くようにキャップ８をガード７とともにガード支持部１３に対し周方向Ｓへ回動させると、ガード支持部１３の係止凸部２１が基端筒部２６の案内口部３４ａに移動し、キャップ８はガード７がホルダ４に対し離脱される途中状態Ｎ８となる。その後、キャップ８をガード支持部１３に対し前後方向Ｘへ移動させると、キャップ８の各小突起３９と基端筒部２６の各小突起３１との係止により、ガード７もキャップ８とともにガード支持部１３に対し前後方向Ｘへ移動し、ガード支持部１３の係止凸部２１がガード７の案内口部３４ａから抜け、キャップ８が開放状態Ｌ８になるとともに、キャップ８内で係止されて収容されているガード７が離脱状態Ｐ７となる。逆に、この離脱状態Ｐ７からガード７をキャップ８とともにガード支持部１３に対し前後方向Ｘへ挿入すると、キャップ８はガード７がホルダ４に対し挿入される途中状態Ｎ８となる。その後、キャップ８をガード７とともに周方向Ｓへ回動させると、ガード７が前記途中状態Ｑ７を経て取着状態Ｒ７となる。その取着状態Ｒ７では、前後方向Ｘへのガード７の移動が規制されるため、被冠状態Ｍ８にあるキャップ８のみを抜いて開放状態Ｌ８にすることができる。このようにしてキャップ８は開放状態Ｌ８と被冠状態Ｍ８との間で途中状態Ｎ８を経てガード着脱動作軌跡を取り、このガード着脱動作軌跡はガード７のガード移動軌跡に沿う。その際、キャップ８の両溝３８と基端筒部２６の両突条３２とについては前後方向Ｘの長さがほぼ同一に設定されているため、ホルダ４の頭部５のキャップ支持部１２にはキャップ８が被冠されない。
【００４２】
図１１（ａ）に示す前記彫刻刀２においては、ガード７が離脱状態Ｐ７にあるホルダ４からキャップ８が分離された開放状態Ｌ８にある。図１１（ｂ）に示すように、キャップ８内にその口端縁８ａからホルダ４のキャップ支持部１２を挿入してキャップ８の内周面３７にキャップ支持部１２の外周面１５を挿嵌するとともに、キャップ８の両溝３８に口部３８ａからキャップ支持部１２の両小突条４２を係入してキャップ８をホルダ４に対し前後方向Ｘへ移動させると、外周面１５に形成された鍔部１５ｃにキャップ８の口端縁８ａが当接し、図１１（ｃ）に示すようにキャップ８の各小突起３９がキャップ支持部１２の各小突起４１に係止され、キャップ８がホルダ４に支持された被冠状態Ｍ８となる。また、図１１（ｄ）に示す前記彫刻刀３においても、ホルダ９からキャップ８が分離された開放状態Ｌ８にある。図１１（ｅ）に示すように、キャップ８内にその口端縁８ａからホルダ９のキャップ支持部２２を挿入してキャップ８の内周面３７にキャップ支持部２２の外周面２３を挿嵌するとともに、キャップ８の両溝３８に口部３８ａからキャップ支持部２２の両小突条４４を係入してキャップ８をホルダ９に対し前後方向Ｘへ移動させると、外周面２３に形成された鍔部２３ｃにキャップ８の口端縁８ａが当接し、図１１（ｆ）に示すようにキャップ８の各小突起３９がキャップ支持部２２の各小突起４３に係止され、キャップ８がホルダ９に支持された被冠状態Ｍ８となる。逆に、この被冠状態Ｍ８からキャップ８をキャップ支持部１２，２２に対し前後方向Ｘへ抜くと、キャップ８が開放状態Ｌ８となる。このようにしてキャップ８は開放状態Ｌ８と被冠状態Ｍ８との間で基本着脱動作軌跡を取る。
【００４３】
次に、本発明の第３実施形態にかかる彫刻刀について図１２〜１７を参照して説明する。なお、図１２、図１３、図１４、図１５、図１６及び図１７は、それぞれ、第１実施形態における図３、図４、図５、図６、図７及び図８に対応する。
【００４４】
図１２（ａ）（ｂ）（ｃ）に示すように、前記彫刻刀２において、ホルダ４の頭部５の端部にはキャップ支持部１２とガード支持部１３とが前後方向Ｘへ並設され、このガード支持部１３がこのキャップ支持部１２の前側で段差部１４を介して形成されている。このキャップ支持部１２において円形状の外周面１５の上側には、周方向Ｓへ延びる目印凹部１８が段差部１４に開放されるように形成されている。また、このガード支持部１３において、円形状の外周面２０には上下方向Ｚの両側で係止凸部２１が周方向Ｓへ１８０度間隔で形成されている。図１２（ｄ）（ｅ）（ｆ）に示すように、前記彫刻刀３において、ホルダ９の頭部１０の端部にはキャップ支持部２２のみが形成されている。このキャップ支持部２２において、外周面２３の左右方向Ｙの両側には前後方向Ｘへ延びる小突条４４が周方向Ｓへ１８０度間隔で形成されている。このキャップ支持部１２及びキャップ支持部２２において円形状の外周面１５，２３には、ホルダ４の頭部５，１０との境界部分で、周方向Ｓの全体に掛止部（係合部）としての係止溝４５が形成されているとともに、この係止溝４５の上側で係止突部４６（規制部またはストッパ）が形成されている。
【００４５】
図１３に示すように、前記ガード７においては、基端筒部２６から前方へ環状部２７が延設されている。この環状部２７においては、左右方向Ｙの両側で壁部としての一対の腕部２８が延設され、上下方向Ｚの両側で開放部２９が形成されている。この基端筒部２６において、円形状の外周面３０には左右方向Ｙの両側で前後方向Ｘへ延びる突条３２（規制部）が周方向Ｓへ１８０度間隔で形成されている。この基端筒部２６において、円形状の内周面３３には上下方向Ｚの両側で口端縁２６ａから前後方向Ｘへ延びる案内路としての案内口部３４ａが形成されているとともに、その案内口部３４ａから周方向Ｓへ延びる案内路３４ｂが形成され、この案内路３４ｂと口端縁２６ａとの間で係止凸部としての係止壁部３５が周方向Ｓへ１８０度間隔で形成されている。この基端筒部２６には透孔３４ｃ（係合部または係合凹部）が外周面３０と内周面３３の案内路３４ｂとの間で貫設されている。この基端筒部２６の口端縁２６ａの上側には目印突起３６が形成されている。このガード７はプラスチック等により透明または半透明に成形されている。なお、前記環状部２７で両腕部２８の先端部は互いに分離されていてもよい。
【００４６】
図１４に示すように、前記キャップ８は有底筒状をなし、そのキャップ８において円形状の内周面３７には口端縁８ａから前後方向Ｘへ延びる二個の溝３８（規制部または係合部）が周方向Ｓへ１８０度間隔で形成されているとともに、三個の小突起３９（係合部）が口端縁８ａに隣接して周方向Ｓへ１２０度間隔で形成されている。このキャップ８の外周には各溝３８に合わせて指掛け突条４０が形成されている。このキャップ８の口端縁８ａの上側には係止凹部４７（規制部またはストッパ）が形成されている。このキャップ８の内周面３７には上下方向Ｚの両側のうち下側のみに片持ち梁状の係止舌片部４８（係合部）が上下方向Ｚの弾性を有するようにスリット４９により形成され、この係止舌片部４８の内側には係止突起４８ａ（弾性係合凸部）が形成されている。このキャップ８はプラスチック等により透明に成形されている。なお、このキャップ８の内周面３７で上下方向Ｚの両側または周方向複数個所に片持ち梁状の係止舌片部４８を形成したり、片持ち梁状の係止舌片部４８に代えて両持ち梁状の係止舌片部４８を形成してもよい。
【００４７】
図１５（ａ）に示す前記彫刻刀２においては、図１３に示すガード７が図１２に示すホルダ４から分離された離脱状態Ｐ７にある。図１５（ｂ）に示すように、ガード７の基端筒部２６内にその口端縁２６ａからホルダ４のガード支持部１３を挿入して基端筒部２６の内周面３３にガード支持部１３の外周面２０を挿嵌するとともに、ガード７の目印突起３６を目印凹部１８に対し挿脱方向Ｘへ挿入してこの基端筒部２６の口端縁２６ａを段差部１４に当接させると、図１５（ｃ）に示すようにガード支持部１３の係止部としての係止凸部２１が基端筒部２６の案内部としての案内口部３４ａに係入され、ガード７がホルダ４に対し挿嵌される途中状態Ｑ７となる。次に、図１５（ｄ）に示すように、ガード７をガード支持部１３に対し挿脱方向Ｘの周りの周方向Ｓ（挿脱方向Ｘに対し交差する係脱方向）へ回動させると、ガード７の目印突起３６が目印凹部１８で移動しながら、図１５（ｅ）に示すようにガード支持部１３の係止凸部２１が基端筒部２６の案内部としての案内路３４ｂに係入されて基端筒部２６の係止部としての係止壁部３５に対し係止され、図１５（ｄ）（ｆ）に示すようにガード７がホルダ４に取着された取着状態Ｒ７となって前後方向Ｘへのガード７の移動が規制される。その場合、この係止凸部２１を透孔３４ｃから視認することができる。前記ガード７の途中状態Ｑ７で、上下両係止凸部２１のうち上側の係止凸部２１が上下両案内口部３４ａのうち上側の案内口部３４ａに係入されるとともに、上下両係止凸部２１のうち下側の係止凸部２１が上下両案内口部３４ａのうち下側の案内口部３４ａに係入され、上側の係止凸部２１が下側の案内口部３４ａに係入されたり下側の係止凸部２１が上側の案内口部３４ａに係入されたりすることはなくなり、ホルダ４の頭部５に対しガード７を常に一定の取着状態Ｒ７にすることができる。この取着状態Ｒ７では、刃体６の先端側に設けられた刃先部６ａをガード７の左右両腕部２８が挟むように配置され、この刃先部６ａが上下両開放部２９に露出するとともに下側開放部２９から前方へ若干突出している。逆に、この取着状態Ｒ７からガード７をガード支持部１３に対し周方向Ｓへ回動させた後に前後方向Ｘへ抜くと、ガード７が前記途中状態Ｑ７を経て離脱状態Ｐ７となる。このようにしてガード７は離脱状態Ｐ７と取着状態Ｒ７との間で途中状態Ｑ７を経てガード移動軌跡を取る。
【００４８】
図１６（ａ）に示す前記彫刻刀２においては、ガード７がホルダ４に取着された取着状態Ｒ７で図１４に示すキャップ８がガード７及びホルダ４から分離された開放状態Ｌ８にある。図１６（ｂ）に示すように、キャップ８内にその口端縁８ａからガード７の環状部２７を挿入してキャップ８の内周面３７にガード７の基端筒部２６の外周面３０を挿嵌するとともに、キャップ８の両溝３８に口部３８ａから基端筒部２６の両突条３２を係入してキャップ８をガード７に対し前後方向Ｘへ移動させると、キャップ８の口端縁８ａが前記キャップ支持部１２でホルダ４の頭部５に当接してこのキャップ支持部１２の係止突部４６がキャップ８の係止凹部４７に係入されるとともに、図１６（ｃ）に示すようにキャップ８の各小突起３９が前記キャップ支持部１２の係止溝４５に掛止部（係合部）として係止され、図１６（ｄ）に示すようにキャップ８の係止舌片部４８の係止突起４８ａがガード７の下側の透孔３４ｃに係入され、キャップ８がガード７及びホルダ４の頭部５に支持されてその両開放部２９を塞ぐ被冠状態Ｍ８となる。この被冠状態Ｍ８では、キャップ８の両溝３８に基端筒部２６の両突条３２が掛止部（係合部）として係入されているため、キャップ８とガード７とを周方向Ｓへ一体的に回動させることができる。逆に、この被冠状態Ｍ８からキャップ８を前後方向Ｘへ移動させてガード７から抜くと、キャップ８が開放状態Ｌ８となる。このようにしてキャップ８は開放状態Ｌ８と被冠状態Ｍ８との間で基本着脱動作軌跡を取る。
【００４９】
次に、図１６（ｅ）に示すように、キャップ８をガード７とともにガード支持部１３に対し周方向Ｓへ回動させると、ガード７の目印突起３６が目印凹部１８で移動するとともにキャップ支持部１２の係止突部４６がキャップ８の係止凹部４７に対して移動しながら、図１５（ｃ）に示すようにガード支持部１３の係止凸部２１が基端筒部２６の案内口部３４ａに移動し、キャップ８はガード７がホルダ４に対し離脱される途中状態Ｎ８となる。その後、キャップ８をガード支持部１３に対し前後方向Ｘへ移動させると、キャップ８の係止舌片部４８の係止突起４８ａとガード７の下側の透孔３４ｃとの係合により、ガード７もキャップ８とともにガード支持部１３に対し前後方向Ｘへ移動し、ガード支持部１３の係止凸部２１がガード７の案内口部３４ａから抜け、図１６（ｆ）（ｇ）（ｈ）に示すようにキャップ８が開放状態Ｌ８になるとともに、キャップ８内で係止されて収容されているガード７が離脱状態Ｐ７となる。このキャップ８の下側には膨出部８ｂが形成され、このキャップ８内に収容された刃体６の刃先部６ａがこの膨出部８ｂ内の空間によりキャップ８の内面に当らないようになっている。また、このキャップ８の内側はこのガード７の外形に沿うように形成され、ガード７はキャップ８に対し一通りの嵌り方しかできない。逆に、この離脱状態Ｐ７からガード７をキャップ８とともにガード支持部１３に対し前後方向Ｘへ挿入すると、キャップ８はガード７がホルダ４に対し挿入される途中状態Ｎ８となる。その後、キャップ８をガード７とともに周方向Ｓへ回動させると、ガード７が前記途中状態Ｑ７を経て取着状態Ｒ７となる。その取着状態Ｒ７では、前後方向Ｘへのガード７の移動が規制されるため、被冠状態Ｍ８にあるキャップ８のみを抜いて開放状態Ｌ８にすることができる。このようにしてキャップ８は開放状態Ｌ８と被冠状態Ｍ８との間で途中状態Ｎ８を経てガード着脱動作軌跡を取り、このガード着脱動作軌跡はガード７のガード移動軌跡に沿う。
【００５０】
図１７（ａ）に示す前記彫刻刀２においては、ガード７が離脱状態Ｐ７にあるホルダ４からキャップ８が分離された開放状態Ｌ８にある。図１７（ｂ）に示すように、キャップ８内にその口端縁８ａからホルダ４のキャップ支持部１２を挿入してキャップ８の内周面３７にキャップ支持部１２の外周面１５を挿嵌し、キャップ８をホルダ４に対し前後方向Ｘへ移動させると、キャップ８の口端縁８ａが前記キャップ支持部１２でホルダ４の頭部５に当接してこのキャップ支持部１２の係止突部４６がキャップ８の係止凹部４７に係入されるとともに、図１７（ｃ）に示すようにキャップ８の各小突起３９が前記キャップ支持部１２の係止溝４５に掛止部（係合部）として係止され、キャップ８がホルダ４の頭部５に支持された被冠状態Ｍ８となる。また、図１７（ｄ）に示す前記彫刻刀３においても、ホルダ９からキャップ８が分離された開放状態Ｌ８にある。図１７（ｅ）に示すように、キャップ８内にその口端縁８ａからホルダ９のキャップ支持部２２を挿入してキャップ８の内周面３７にキャップ支持部２２の外周面２３を挿嵌するとともに、キャップ８の両溝３８に口部３８ａからキャップ支持部２２の両小突条４４を係入してキャップ８をホルダ９に対し前後方向Ｘへ移動させると、キャップ８の口端縁８ａがキャップ支持部２２でホルダ９の頭部１０に当接してこのキャップ支持部２２の係止突部４６がキャップ８の係止凹部４７に係入されるとともに、図１７（ｆ）に示すようにキャップ８の各小突起３９が前記キャップ支持部１２の係止溝４５に掛止部（係合部）として係止され、キャップ８がホルダ９の頭部１０に支持された被冠状態Ｍ８となる。逆に、この被冠状態Ｍ８からキャップ８をキャップ支持部１２，２２に対し前後方向Ｘへ抜くと、キャップ８が開放状態Ｌ８となる。このようにしてキャップ８は開放状態Ｌ８と被冠状態Ｍ８との間で基本着脱動作軌跡を取る。
【００５１】
前述したように、前記キャップ８の基本着脱動作軌跡でキャップ８をガード７やホルダ４，９の頭部５，１０に被せて被冠状態Ｍ８にする際、ガード７やホルダ４，９の頭部５，１０に対するキャップ８の相対位置が一定でないと、ガード７の両突条３２とキャップ８の両溝３８とが互いに合致しないとともに、ホルダ４，９の係止突部４６とキャップ８の係止凹部４７とが互いに合致しないため、キャップ８をガード７やホルダ４，９の頭部５，１０に被せることができない。
【００５２】
本実施形態は下記の効果を有する。
＊  彫刻刀２において刃体６をガード７で囲う際に刃体６の刃先部６ａを露出させるために必要なガード７の開放部２９をさらにキャップ８により塞ぐことができる。従って、ガード７の開放部２９で使用者の指が刃先部６ａに不用意に触れることを防止でき、彫刻刀２の使用時に安全性を高めて使い勝手を良くすることができる。
【００５３】
＊  ガード７を収容したキャップ８をホルダ４に対し着脱させるだけで、ガード７に触れずにガード７をホルダ４に対し着脱させることができる。従って、彫刻刀２の使用時に安全性を高めて使い勝手を良くすることができる。
【００５４】
＊  キャップ８は互いに異なる基本着脱動作軌跡とガード着脱動作軌跡とを取るため、キャップ８の着脱動作の違いによりガード７の着脱の有無を区別することができる。
＊  ガード７をホルダ４に対し挿脱させる挿脱方向Ｘと係止させる周方向Ｓとが互いに交差して異なっているため、ガード７に対し挿脱方向Ｘの力が加わっても、ホルダ４に対するガード７の係止が解除されにくくなる。従って、彫刻刀２の使用時に安全性を高めて使い勝手を良くすることができる。
【００５５】
＊  前述したガード７に対するキャップ８の閉塞効果とホルダ４に対するガード７の係止解除防止効果とが相俟って、彫刻刀２の使用時により一層安全性を高めて使い勝手を良くすることができる。
【００５６】
前記第１〜３実施形態以外にも例えば下記のように構成してもよい。
・  ガード７をホルダ４の頭部５に対し着脱できないように一体的に取着したり、ガード７をホルダ４の頭部５に対し一体に成形する。
【００５７】
・  ガード７の上下両開放部２９のうち、刃先部６ａが突出する下側開放部２９のみを設ける。
・  前記実施形態ではキャップ８をガード７に被せた被冠状態Ｍ８でガード７をキャップ８により取着状態Ｒ７から離脱状態Ｐ７へ一体的に移動させることができるとともに離脱状態Ｐ７から取着状態Ｒ７へ一体的に移動させことができるが、そのいずれか一方のみを行えるようにしてもよい。
【００５８】
・  前記キャップ８にはガード７の上下両開放部２９のうち少なくとも下側の開放部２９を塞ぐ壁を設ければよく、その壁以外の部分は開放されていてもよい。なお、このキャップ８の壁には指が入らない程度の孔を形成してもよい。
【００５９】
・  第２実施形態ではキャップ８の各小突起３９がガード７の基端筒部２６の各小突起３１に掛止部として係止されるが、この各小突起３９に代えてこの各小突起３１が係止される凹部を設けてもよい。
【００６０】
・  前記実施形態では、目印として、ガード７の基端筒部２６に目印突起３６を形成するとともにホルダ４のキャップ支持部１２に目印凹部１８とガード離脱位置マーク１９ａとガード取着位置マーク１９ｂとを形成したが、逆にガード７の基端筒部２６に目印凹部とガード離脱位置マークとガード取着位置マークとを形成するとともに、ホルダ４のキャップ支持部１２に目印突起を形成してもよい。
【００６１】
・  前記キャップ８及びガード７をホルダ４から分離した際にホルダ４やケース１に保持できるようにしてもよい。
・  キャップをホルダに対し分離することなく被冠状態と開放状態との間で移動可能に支持してもよい。
【００６２】
・  図示しないが、ガード７を刃体６に沿って横向きにしたまま上下方向Ｚ（挿脱方向）若しくは左右方向Ｙ（挿脱方向）へ挿脱するとともに前後方向Ｘ（係脱方向）へ係脱する。または、ガード７を刃体６に対し交差させた状態で上下方向Ｚ（挿脱方向）若しくは左右方向Ｙ（挿脱方向）へ挿脱するとともに、ガード７をこの交差状態と横向き状態との間で係脱方向へ回動させて係脱する。
【図面の簡単な説明】
【００６３】
【図１】第１実施形態にかかる複数種類の彫刻刀をケースに収容した状態を示す平面図である。
【図２】（ａ）（ｂ）（ｃ）（ｄ）（ｅ）はそれぞれ第１実施形態にかかる各彫刻刀をケースから取り出してキャップを外した状態を示す平面図である。
【図３】（ａ）は図２（ａ）に示すガード付き彫刻刀においてホルダのみを示す部分平面図であり、（ｂ）は同じく部分正面図であり、（ｃ）は同じく側面図であり、（ｄ）は図２（ｅ）に示すガードなし彫刻刀においてホルダのみを示す部分平面図であり、（ｅ）は同じく部分正面図であり、（ｆ）は同じく側面図である。
【図４】（ａ）は図２（ａ）（ｂ）（ｃ）（ｄ）に示すガード付き彫刻刀においてガードのみを示す斜視図であり、（ｂ）は同じく正面図であり、（ｃ）は同じく平面図であり、（ｄ）は同じく底面図であり、（ｅ）は同じく側面図であり、（ｆ）は（ｂ）のＡ１−Ａ１線部分断面図であり、（ｇ）は（ｂ）のＡ２−Ａ２線部分断面図である。
【図５】（ａ）は図１に示す各彫刻刀においてキャップのみを示す斜視図であり、（ｂ）は同じく正面図であり、（ｃ）は同じく側面図であり、（ｄ）は（ｂ）のＢ−Ｂ線断面図である。
【図６】（ａ）は図２（ａ）に示すガード付き彫刻刀においてホルダからガードを分離した状態を示す部分平面図であり、（ｂ）は同じくホルダに対しガードを着脱する途中状態を示す部分平面図であり、（ｃ）は（ｂ）を平面側から見た部分断面図であり、（ｄ）は同じくホルダに対しガードを取着した状態を示す部分平面図であり、（ｅ）は（ｄ）を平面側から見た部分断面図であり、（ｆ）は同じくホルダに対しガードを取着した状態を示す部分正面図である。
【図７】（ａ）は図２（ａ）に示すガード付き彫刻刀においてガードを取着したホルダからキャップを分離した状態を示す部分平面図であり、（ｂ）は同じくガードを取着したホルダに対しキャップを取着した状態を示す部分平面図であり、（ｃ）は（ｂ）を平面側から見た部分断面図であり、（ｄ）は同じくガードを取着したホルダに対しキャップをガードとともに分離する途中状態を示す部分平面図であり、（ｅ）は同じくホルダに対しキャップをガードとともに分離した状態を示す部分平面図であり、（ｆ）は（ｅ）のキャップを平面側から見た断面図である。
【図８】（ａ）は図２（ａ）に示すガード付き彫刻刀においてガードを分離したホルダからキャップを分離した状態を示す部分平面図であり、（ｂ）は同じくガードを分離したホルダに対しキャップを取着した状態を示す部分平面図であり、（ｃ）は（ｂ）を平面側から見た部分断面図であり、（ｄ）は図２（ｅ）に示すガードなし彫刻刀においてホルダからキャップを分離した状態を示す部分平面図であり、（ｅ）は同じくホルダに対しキャップを取着した状態を示す部分平面図であり、（ｆ）は（ｅ）を平面側から見た部分断面図である。
【図９】（ａ）は第２実施形態にかかるガード付き彫刻刀においてホルダのみを示す部分平面図であり、（ｂ）は同じく部分正面図であり、（ｃ）は同じく側面図であり、（ｄ）は第２実施形態にかかるガードなし彫刻刀においてホルダのみを示す部分平面図であり、（ｅ）は同じく部分正面図であり、（ｆ）は同じく側面図である。
【図１０】（ａ）は第２実施形態にかかるガード付き彫刻刀においてガードを取着したホルダからキャップを分離した状態を示す部分平面図であり、（ｂ）は同じくガードを取着したホルダに対しキャップを取着した状態を示す部分平面図であり、（ｃ）は（ｂ）を平面側から見た部分断面図であり、（ｄ）は同じくガードを取着したホルダに対しキャップをガードとともに分離する途中状態を示す部分平面図であり、（ｅ）は同じくホルダに対しキャップをガードとともに分離した状態を示す部分平面図であり、（ｆ）は（ｅ）のキャップを平面側から見た断面図である。
【図１１】（ａ）は第２実施形態にかかるガード付き彫刻刀においてガードを分離したホルダからキャップを分離した状態を示す部分平面図であり、（ｂ）は同じくガードを分離したホルダに対しキャップを取着した状態を示す部分平面図であり、（ｃ）は（ｂ）を平面側から見た部分断面図であり、（ｄ）は第２実施形態にかかるガードなし彫刻刀においてホルダからキャップを分離した状態を示す部分平面図であり、（ｅ）は同じくホルダに対しキャップを取着した状態を示す部分平面図であり、（ｆ）は（ｅ）を平面側から見た部分断面図である。
【図１２】（ａ）は第３実施形態にかかる各彫刻刀のうち図２（ａ）に対応するガード付き彫刻刀においてホルダのみを示す部分平面図であり、（ｂ）は同じく部分正面図であり、（ｃ）は同じく側面図であり、（ｄ）は第３実施形態にかかる各彫刻刀のうち図２（ｅ）に対応するガードなし彫刻刀においてホルダのみを示す部分平面図であり、（ｅ）は同じく部分正面図であり、（ｆ）は同じく側面図である。
【図１３】（ａ）は第３実施形態にかかる各彫刻刀のうち図２（ａ）（ｂ）（ｃ）（ｄ）に対応するガード付き彫刻刀においてガードのみを示す斜視図であり、（ｂ）は同じく正面図であり、（ｃ）は同じく平面図であり、（ｄ）は同じく底面図であり、（ｅ）は同じく側面図であり、（ｆ）は（ｂ）のＣ１−Ｃ１線部分断面図であり、（ｇ）は（ｂ）のＣ２−Ｃ２線部分断面図である。
【図１４】（ａ）は第３実施形態にかかる各彫刻刀においてキャップのみを示す斜視図であり、（ｂ）は同じく底面図であり、（ｃ）は同じく平面図であり、（ｄ）は同じく平面側から見た断面図であり、（ｅ）は（ｃ）の側面図である。
【図１５】（ａ）は第３実施形態にかかる各彫刻刀のうち図２（ａ）に対応するガード付き彫刻刀においてホルダからガードを分離した状態を示す部分平面図であり、（ｂ）は同じくホルダに対しガードを着脱する途中状態を示す部分平面図であり、（ｃ）は（ｂ）を平面側から見た部分断面図であり、（ｄ）は同じくホルダに対しガードを取着した状態を示す部分平面図であり、（ｅ）は（ｄ）を平面側から見た部分断面図であり、（ｆ）は同じくホルダに対しガードを取着した状態を示す部分正面図である。
【図１６】（ａ）は第３実施形態にかかる各彫刻刀のうち図２（ａ）に対応するガード付き彫刻刀においてガードを取着したホルダからキャップを分離した状態を示す部分平面図であり、（ｂ）は同じくガードを取着したホルダに対しキャップを取着した状態を示す部分平面図であり、（ｃ）は（ｂ）を平面側から見た部分断面図であり、（ｄ）は（ｂ）を正面側から見た部分断面図であり、（ｅ）は同じくガードを取着したホルダに対しキャップをガードとともに分離する途中状態を示す部分平面図であり、（ｆ）は同じくホルダに対しキャップをガードとともに分離した状態を示す部分平面図であり、（ｇ）は（ｆ）のキャップを平面側から見た断面図であり、（ｈ）は（ｆ）のキャップを正面側から見た断面図である。
【図１７】（ａ）は第３実施形態にかかる各彫刻刀のうち図２（ａ）に対応するガード付き彫刻刀においてガードを分離したホルダからキャップを分離した状態を示す部分平面図であり、（ｂ）は同じくガードを分離したホルダに対しキャップを取着した状態を示す部分平面図であり、（ｃ）は（ｂ）を平面側から見た部分断面図であり、（ｄ）は第３実施形態にかかる各彫刻刀のうち図２（ｅ）に対応するガードなし彫刻刀においてホルダからキャップを分離した状態を示す部分平面図であり、（ｅ）は同じくホルダに対しキャップを取着した状態を示す部分平面図であり、（ｆ）は（ｅ）を平面側から見た部分断面図である。
【符号の説明】
【００６４】
２…彫刻刀、４…ホルダ、５…ホルダの頭部、６…刃体、６ａ…刃先部、７…ガード、８…キャップ、２１…ホルダの頭部の係止部としての係止凸部、２８…ガードの壁部としての腕部、２９…開放部、３１…ガードの掛止部（係合部）としての小突起、３２…ガードの掛止部（係合部）やキャップに対する規制部としての突条、３４ａ…ガードの係止部としての案内口部、３４ｂ…ガードの係止部としての案内路、３４ｃ…ガードの係合部としての透孔、３５…ガードの係止部としての係止壁部、３８…キャップの掛止部（係合部）やキャップの規制部としての溝、３９…キャップの掛止部（係合部）としての小突起、４６…キャップに対する規制部としての係止突部、４７…キャップの規制部としての係止凹部、４８…キャップの係合部としての係止舌片部、Ｐ７…ガードの離脱状態、Ｒ７…ガードの取着状態、Ｍ８…キャップの被冠状態、Ｌ８…キャップの開放状態、Ｘ…挿脱方向、Ｓ…係脱方向としての周方向。
【図１】
0005361223.tif 000002
【図２】
0005361223.tif 000003
【図３】
0005361223.tif 000004
【図４】
0005361223.tif 000005
【図５】
0005361223.tif 000006
【図６】
0005361223.tif 000007
【図７】
0005361223.tif 000008
【図８】
0005361223.tif 000009
【図９】
0005361223.tif 000010
【図１０】
0005361223.tif 000011
【図１１】
0005361223.tif 000012
【図１２】
0005361223.tif 000013
【図１３】
0005361223.tif 000014
【図１４】
0005361223.tif 000015
【図１５】
0005361223.tif 000016
【図１６】
0005361223.tif 000017
【図１７】
0005361223.tif 000018